(57)【要約】【課題】  コンパクト化が困難な洋鋏タイプの雑草除去具に変えて、新規な和鋏タイプの雑草除去具を提供する。【解決手段】樹脂製Ｕ状に形成して対向部分を握持部１１とした操作体１と、前記握持部１１の先端部から突出し、対向辺を互いに噛み合う波形状（波形突起２１）とした金属製板状の一対の挟持板体２ａ，２ｂとで和鋏タイプに構成し、前記操作体１の握持部１１の対向面に、握持部１１の開閉操作に際して互に干渉して挟持板体２ａ，２ｂのすれ違い動作を阻止する突出部（基方突板部１３ａ，１３ｂ及び先方突板部１４ａ，１４ｂ）を設けてなる。【選択図】図１
0003189051.tif 000002
【実用新案登録請求の範囲】
【請求項１】
樹脂製Ｕ状に形成して対向部分を握持部とした操作体と、前記握持部の先端部から突出し、対向辺を互いに噛み合う波形状とした金属製板状の一対の挟持板体とで構成し、前記操作体の握持部対向面に、握持部の開閉操作に際して互に干渉して挟持板体のすれ違い動作を阻止する突出部を設けてなることを特徴とする雑草除去具。
【請求項２】
突出部を、対向する先方及び基方の各２枚の突板部で構成し、対向する各先方基方の突板部の互いの側面が、握持部の閉動作時に重なり合うと共に、重なり面が先方と基方の突板部では異なるように設けてなる請求項１記載の雑草除去具。
【請求項３】
挟持板体の先端部分を、外側辺が中心側に鋭角に絞り込む形状に形成すると共に、操作体を、前記挟持板体の開口地面刺突に際して、挟持板体が完全に閉口しない適宜な弾性率に形成してなる請求項１又は２記載の雑草除去具。
【請求項４】
突出部の重なり面において、一方の面に握持部の開閉軌跡に対応するガイド突条を設けると共に、他方面に、前記ガイド突条が嵌合する受け溝を設けてなる請求項２又は３記載の雑草除去具。
【考案の詳細な説明】
【技術分野】
【０００１】
本考案は、雑草を引き抜いて除去するのに使用する雑草除去具に関するものである。
【背景技術】
【０００２】
雑草を根から引き抜く手動具は、鋏型の器具、ピンセット型の器具が知られており、前者は特許文献１，２に開示されているように、先方挟持部と基方開閉操作部を備えた一対の鋏部材を、その中間部分で交差させ交差部分を枢結した構造で、基方開閉操作部の開閉操作で鋏部材を開閉動作させ、鋏部材の先方対向箇所（波形噛合わせ形状とした先方挟持部）で、雑草の茎や根を挟持して引き抜くものである。
【０００３】
また特許文献２には、先方挟持部が開口方向に付勢されるバネを付設し、開口状態で先方挟持部が土中に差し入れるようにしており、特に先方挟持部で雑草の茎や根を強く挟持した際に、先方挟持部が捻じれてすれ違い軌道で移動してしまい、茎や根をしっかりと把持することができずうまく除去することができない事への対応手段として、枢結軸より先方位置における鋏部材中間の重なり箇所に、長孔と抑え軸を組み合わせた離間防止機構を設けている。
【０００４】
またピンセット型の器具は、特許文献３，４に示す通り、Ｕ状金属体で形成され、先端部分を土中に差し入れ、雑草を摘まみ取るようにしたものである。
【先行技術文献】
【特許文献】
【０００５】
【特許文献１】特開２０１１−８３２６８号公報。
【特許文献２】特開２０１３−１６２７７０号公報。
【特許文献３】特開２００６−２１７８８９号公報。
【特許文献４】特開２００６−１０１８７０号公報。
【考案の概要】
【考案が解決しようとする課題】
【０００６】
公知のピンセット型の草取り具は、鉢植えの雑草のような摘まみ取りが可能な雑草の除去に適するが、庭に繁殖している雑草除去には適しない。
【０００７】
また鋏型の雑草除去具は、前記特許文献２に示されているとおり、地面刺突に際して刺突抵抗によって先方挟持部が閉口しないように、開口維持のためにバネ等を付設する必要があり、また雑草の茎や根を強く挟圧する際に、挟持部の食い違いが生じないように食い違い挟持防止構造を設ける必要がある。而も前記の食い違い挟持防止構造は、鋏部材中間の枢結軸先方の重なり箇所を設定のために、枢結軸先方を長くする必要がある。このように鋏タイプの雑草除去具は、実用的な機能を備える上で、ある程度の大型化が必要となり、且つそれに伴う製造コストの高騰も免れない。
【０００８】
そこで本考案は、器具のコンパクト化が実現できる和鋏タイプで、且つ所定の機能を具備した新規な雑草除去具を提案したものである。
【課題を解決するための手段】
【０００９】
本考案（請求項１）に係る雑草除去具は、樹脂製Ｕ状に形成して対向部分を握持部とした操作体と、前記握持部の先端部から突出し、対向辺を互いに噛み合う波形状とした金属製板状の一対の挟持板体とで構成し、前記操作体の握持部対向面に、握持部の開閉操作に際して互に干渉して挟持板体のすれ違い動作を阻止する突出部を設けてなることを特徴とするものである。
【００１０】
而して前記雑草除去具は、握持部を保持して挟持板体を雑草の根元の地面に差し入れ、握持部を強く握持して挟持板体で雑草の茎又は根を挟み、引き抜くことで雑草の除去を行うものである。特に、例えば一方が他方に挿入或いは嵌合する等の互いに干渉する構造の突出部を設けて、握持部の開閉操作時に握持部の捻じれを防止しているので、挟持板体で雑草の茎又は根を挟む際に、挟持板体がすれ違うことなく、確実に挟持板体で雑草の茎又は根を挟み、雑草除去を実現する。
【００１１】
また本考案（請求項２）に係る雑草除去具は、前記の突出部を、対向する先方及び基方の各２枚の突板部で構成し、対向する各先方基方の突板部の互いの側面が、握持部の閉動作時に重なり合うと共に、重なり面が先方と基方の突板部では異なるように設けたものである。従って握持部の閉動作では、先方突板同士及び基方突板同士の側面が重なり合うと共に、前記の重なりが先方と基方とでは左右側面が異なることになり、握持部の開閉操作時に握持部の捻じれが防止されるものである。特に突板部の採用によって握持部の捻じれ防止を製造容易な簡易な構造で実現できる。
【００１２】
本考案（請求項３）に係る雑草除去具は、挟持板体の先端部分を、外側辺が中心側に鋭角に絞り込む形状に形成すると共に、操作体を、前記挟持板体の地面刺突に際して刺突抵抗によって挟持板体が完全に閉口しない適宜な弾性強度に形成してなるものである。
【００１３】
而して挟持板体を雑草除去のために地面に刺突する際に、挟持板体の先端部分を地面に刺突し易い鋭角形状に形成しておくと、地面の抵抗（刺突抵抗）によって刺突挟持板体が閉じてしまう。しかし完全閉口に至らないような十分な弾性強度に形成しておくと、地面刺突操作で挟持板体が完全に閉口することなく地面刺突がなされ、握持部を強く握持することで、挟持板体で雑草の茎又は根を挟み込み、器具の引き抜くことで雑草除去を効率的に行うことができたものである。
【考案の効果】
【００１４】
本考案の構成は上記のとおりで、樹脂製操作体と金属製挟持板体との和鋏構造を採用することで、全体をコンパクトにし、また特に雑草除去のための開閉操作に対して挟持板体のすれ違い動作を阻止する構造を採用して、雑草除去作業を確実に行い、また適宜な操作体の開閉弾性を採用することで、地面刺突時の挟持板体の閉口を防止して、雑草除去作業の効率化を実現したものである。
【図面の簡単な説明】
【００１５】
【図１】本考案の実施形態の全体斜視図。
【図２】同正面図（開口時）。
【図３】同図（閉口時）。
【図４】同使用状態を示す説明図。
【考案を実施するための形態】
【００１６】
次に本考案の実施形態について説明する。実施形態に示した雑草除去具は、操作体１と挟持板体２で構成される。
【００１７】
操作体１は、Ｕ状に形成した樹脂製で、対向部分の握持部１１と基部の薄肉湾曲部１２を備えることで、握持部１１を対向方向へ開閉可能に形成し、この握持部１１の対向面には各々基方突板部１３ａ，１３ｂと先方突板部１４ａ，１４ｂを設けてなる。
【００１８】
前記の基方突板部１３ａ，１３ｂ及び先方突板部１４ａ，１４ｂは、握持部１１の閉動作時には必ず重なり合うように突出形成したもので、且つ基方突板部１３ａ，１３ｂ及び先方突板部１４ａ，１４ｂとでは、その重なり合う面が、一方の器具側面を表面とすると表裏異なる側で重なり合うようにしたものである。
【００１９】
また前記の基方突板部１３ａ，１３ｂ及び先方突板部１４ａ，１４ｂにおける重なり面の一方側の面に、操作体１の開閉軌跡に対応するガイド突条１３１，１４１を設け、重なり面の他方面には、前記ガイド突条１３１，１４１が嵌合する受け溝１３２，１４２を設けたものである。尚図示した受け溝１３２，１４２は、重なり面に形成した二条の突条で形成しているものである。
【００２０】
尚薄肉湾曲部１２は、挟持板体２ａ，２ｂの開閉（＝握持部１１の開閉）において、後述する抵抗力を備える適宜な弾性率を備えるような厚さ及び形状に形成するものである。
【００２１】
挟持板体２ａ，２ｂは、一対の金属製板状で、握持部１１の先端部から突出したもので、対向辺を互いに噛み合う波形突起２１を設けると共に、先端部分を、外側辺２２が中心側に鋭角に絞り込む形状に形成したものである。
【００２２】
而して前記雑草除去具は、握持部１１を保持して挟持板体２ａ，２ｂを雑草Ａの根元の地面Ｃに差し入れ、握持部１１を強く握持して挟持板体２ａ，２ｂで雑草Ａの地中茎Ｂ又は根を挟み、引き抜くことで雑草の除去を行うものである。
【００２３】
特に前記雑草除去具は、地面Ｃへの差込を容易にするために、挟持板体２ａ，２ｂの先端部分の外側辺２２を中心側へ絞り込み、挟持板体２ａ，２ｂの全体を鋭角形状に形成したものである。このため地面Ｃへの差込においては、地面Ｃからの抵抗で挟持板体２ａ，２ｂに対して閉じる方向に力が作用する。この挟持板体２ａ，２ｂへの閉じる力で挟持板体２ａ，２ｂが完全に閉じてしまうと雑草Ａの茎Ｂ等を挟むことができなくなってしまうが、薄肉湾曲部１２の形状設計によって弾性によって開閉動作をなす挟持板体２ａ，２ｂの弾性率を適宜に設定しておくと、挟持板体２ａ，２ｂの地面Ｃへの刺突で挟持板体２ａ，２ｂが完全に閉口しないようにすることができる。勿論握持部１１を強く握持すると、挟持板体２ａ，２ｂを閉口できる。
【００２４】
また雑草Ａの地中茎Ｂ等を挟持する際は、握持部１１を強く握持するものであるが、挟持板体２ａ，２ｂの波形突起２１が咬み合わず食い違いに状態になると、地中茎Ｂ等をしっかりと挟持することができないが、前記雑草除去具は、握持部１１を閉口方向に動作させると、基方突板部１３ａ，１３ｂ及び先方突板部１４ａ，１４ｂが重なり合い、且つ表裏異なる面で重なり合うので、握持部１１が捻じれることが無いので、挟持板体２ａ，２ｂの食い違いが生ずることなく、確実に波形突起２１が咬み合うもので、確実な除草作業を実施できるものである。
【００２５】
特に本実施形態では、重なり面にガイド突条１３１，１４１と受け溝１３２，１４２を設けており、前記の握持部１１の閉口方向動作に際して、ガイド突条１３１，１４１が受け溝１３２，１４２に嵌合することになり、挟持板体２ａ，２ｂの前後方向へのズレも防止されるものである。
【００２６】
尚前記の基方突板部１３ａ，１３ｂ及び先方突板部１４ａ，１４ｂに代えて、互いに干渉する構造の突出部を設けても良い。
【符号の説明】
【００２７】
１        操作体
１１      握持部
１２      薄肉湾曲部
１３ａ，１３ｂ  基方突板部
１４ａ，１４ｂ  先方突板部
１３１，１４１  ガイド突条
１３２，１４２  受け溝
２ａ，２ｂ  挟持板体
２１      波形突起
２２      外側辺
Ａ        雑草
Ｂ      地中茎
Ｃ      地面
【図１】
0003189051.tif 000003
【図２】
0003189051.tif 000004
【図３】
0003189051.tif 000005
【図４】
0003189051.tif 000006